(57)【要約】      （修正有）【課題】身体表面部を指圧的にマッサージしたり、揉みほぐすようにマッサージしたりすることが可能なシャワーヘッドを、複雑な可動機構が不要で、構成を簡素化して提供する。【解決手段】シャワーヘッド１１は、ハンドル１２の先端にヘッド本体１３を取り付けて構成される。ヘッド本体１３の散水孔３２を有する面板３１の４箇所にマッサージ用の回転体３５が設けられる。この回転体３５は、シャワーヘッドの外側面に軸によって支持しているため、有効なマッサージ効果を得ることができるにもかかわらず、構成を簡素化できる効果がある。【選択図】図１
2020000564.tif 000002
【特許請求の範囲】
【請求項１】
軸を中心に回転されるマッサージ用の回転体を外側面に設けたシャワーヘッド。
【請求項２】
前記回転体を散水孔が設けられた面板に支持した請求項１に記載のシャワーヘッド。
【請求項３】
前記回転体を面板の外周部に設けた請求項１または２に記載のシャワーヘッド。
【請求項４】
前記回転体を複数設けた請求項３に記載のシャワーヘッド。
【請求項５】
前記回転体を四角形の頂点に位置する４箇所に設けた請求項４に記載のシャワーヘッド。
【請求項６】
回転体は球状である請求項５に記載のシャワーヘッド。
【請求項７】
回転体を先端側が広がる方向に傾斜した軸に支持した請求項５に記載のシャワーヘッド。
【発明の詳細な説明】
【技術分野】
【０００１】
本発明は、シャワー機能に加えてマッサージにも用いることができるシャワーヘッドに関するものである。
【背景技術】
【０００２】
この種のシャワーヘッドとして、特許文献１に記載されたものがある。この特許文献１のシャワーヘッドは、散水の際の給水の圧力によって回転フィンを回転させ、その回転フィンの回転力を振動に変換して、振動によるマッサージ機能を得られるようにしたものである。
【先行技術文献】
【特許文献】
【０００３】
【特許文献１】特開２０１８−７５０７０号公報
【発明の概要】
【発明が解決しようとする課題】
【０００４】
従って、特許文献１のシャワーヘッドにおいては、回転フィンやその回転フィンの回転を振動に変換する変換機構などの各種の可動部品が必要になって、構成が複雑になり、故障のおそれもある。
【０００５】
また、マッサージ作用が給水圧に基づく振動に依存するため、振動付与部分を身体表面部に強く押し当てると、振動が阻止されて、マッサージが不可能になるおそれがある。
本発明は、有効なマッサージ機能を有するにもかかわらず、構成を簡素化できるシャワーヘッドを提供することにある。
【課題を解決するための手段】
【０００６】
上記の目的を達成するために、本発明のシャワーヘッドは、軸を中心に回転されるマッサージ用の回転体を外側面に設けたことを特徴とする。
以上のように構成されたシャワーヘッドにおいては、複雑な可動機構が不要になって、構成を簡素化できる。シャワーヘッドの使用に際しては、回転体を身体表面部に当てて、身体表面部を押圧したり、回転体を身体表面部上において回転移動させたりすることにより、その回転体によって身体表面部を指圧的にマッサージしたり、揉みほぐすようにマッサージしたりすることが可能になり、有効なマッサージ効果を得ることができる。
【発明の効果】
【０００７】
以上のように、本発明によれば、マッサージ用の回転体をシャワーヘッドの外側面に軸によって支持しているため、有効なマッサージ効果を得ることができるにもかかわらず、構成を簡素化できる効果がある。
【図面の簡単な説明】
【０００８】
【図１】第１実施形態のシャワーヘッドを示す斜視図。
【図２】同じく分解斜視図。
【図３】同じく一部破断背面図。
【図４】面板の正面図。
【図５】シャワーヘッドの一部側面図。
【図６】シャワーヘッドの平面図。
【図７】回転体によるつまみ上げ作用を示す説明図。
【図８】第２実施形態のシャワーヘッドを示す一部斜視図。
【図９】第３実施形態のシャワーヘッドを示す一部正面図。
【図１０】同じく第３実施形態のシャワーヘッドを示す一部側面図。
【図１１】第４実施形態のシャワーヘッドを示す側面図。
【図１２】第５実施形態のシャワーヘッドを示す平面図。
【発明を実施するための形態】
【０００９】
（第１実施形態）
以下に、本発明を具体化したシャワーヘッドの第１実施形態を図１〜図７の図面に従って説明する。
【００１０】
図１及び図２に示すように、本実施形態のシャワーヘッド１１は、筒状のハンドル１２と、そのハンドル１２の先端に着脱可能に取り付けられたヘッド本体１３とを有する。ハンドル１２の基端には給水ホース１４が接続されており、ハンドル１２は給水ホース１４からの給水路を構成する。
【００１１】
図２及び図３に示すように、ハンドル１２の先端内周面には拡径部１５と、その拡径部１５に連通するとともに、１８０度の間隔を隔てて位置する一対の開放部１６と、その開放部１６から延びる螺旋溝１７とが形成されている。ヘッド本体１３の基端には、段差１８を介して突出する小径部１９が形成されるとともに、その小径部１９の外周には１８０度の間隔を隔てて位置する突起２０が形成されている。そして、突起２０が開放部１６から螺旋溝１７内に進入することにより、ヘッド本体１３が回転されながらハンドル１２の先端に取り付けられる。また、突起２０が螺旋溝１７から開放部１６を介して抜き出されることにより、ヘッド本体１３が回転されながらをハンドル１２から取り外される。この場合、ヘッド本体１３を１回転に満たない回転角度（実施形態では約９０度）でハンドル１２に対して回転させればヘッド本体１３を脱着できるように、前記螺旋溝１７や突起２０の形状などが設定されている。小径部１９の外周には拡径部１５との間の水密を保持するためのシールリング２１が嵌合されている。
【００１２】
図１，図４及び図５に示すように、ヘッド本体１３の上端部の前面には面板３１が取り付けられており、この面板３１には複数の散水孔３２が設けられている。なお、面板３１の内面には合成樹脂材が設けられるとともに、その合成樹脂材に形成した突出部４０が面板３１の小孔内に位置し、その突出部４０に散水孔３２が形成されている。そして、給水ホース１４からの水道水がハンドル１２及びヘッド本体１３内を通って散水孔３２からシャワー水として散水される。面板３１はその中心を中心として所定角度（例えば４５度）範囲内において回転抵抗をともないながら回転操作されるようになっていて、その回転操作に従ってシャワー水の散水圧力が調節される。なお、本実施形態においては、図５において左側をシャワーヘッド１１の前部、同図の上側を上部とする。また、図４における左側をシャワーヘッド１１の左とする。
【００１３】
図２，図５及び図６に示すように、面板３１の前面の外周部には、ほぼ等角度間隔をおいてボス部３３が一体形成されている。このボス部３３には軸３４を介してマッサージ用の球状の回転体３５が回転可能に支持されている。なお、図示はしないが、軸３４は面板３１から離脱しないように、回転体３５は軸３４から離脱しないように構成されている。図４に示すように、回転体３５は、面板３１の外周部に位置するとともに、ほぼ正方形の各頂点（コーナ）上に位置する。図１及び図４に示すように、散水孔３２は、シャワー水が回転体３５を避けてシャワー使用者に対してより多く当たるように、各回転体３５間の位置に配置されている。
【００１４】
図４〜図６に示すように、回転体３５の軸３４は、面板３１の中心αを中心として斜め外方の放射方向を指向する軸線β上に設置されている。すなわち、図５に示す側面視において、面板３１の左右に位置する上下の各一対の軸３４の軸線βの角度θ１は、中心αにおいて面板３１の前面と直交する中心線γに対して傾斜している。また、図６に示す上面視及び下面視において、面板３１の上下に位置する左右の各一対の軸３４の軸線βの角度θ２は、中心線γに対して傾斜している。本実施形態において、中心線γに対する側面視の傾斜角度θ１及び上面視及び下面視の傾斜角度θ２はそれぞれ２７度である。従って、上下の一対の回転体３５は上下の開き角度５４度で配置された軸３４を中心に回転され、左右の一対の回転体３５は左右の開き角度５４度で配置された軸３４を中心に回転される。傾斜角度θ１及びθ２は、１５〜４５度の範囲内の値が選択される。従って、開き角度は３０〜９０度の範囲内の値が選択される。この場合、傾斜角度θ１と傾斜角度θ２とは異なっていてもよい。
【００１５】
次に、以上のように構成されたシャワーヘッド１１の作用を説明する。
水道水の給水経路における図示しない給水コックが開放操作されると、シャワーが散水孔３２から散水されて、シャワー浴が可能になる。
【００１６】
この場合、回転体３５を身体表面部５０の皮膚に当てて、その回転体３５を適当な強さで身体表面部５０を押圧すれば、回転体３５により身体表面部５０を指圧的にマッサージすることができる。また、回転体３５を身体表面部５０に当てて、シャワーヘッド１１を身体表面部５０の皮膚上を移動させることにより、回転体３５によって身体表面部５０を押圧すると同時に、揉みほぐすようにしてマッサージすることができる。この場合、シャワーヘッド１１の移動方向は、回転体３５が円滑に回転されるように、回転体３５が配置された正方形の辺に対する直交方向に行われる。すなわち、本実施形態においては、回転体３５の軸３４に傾斜角度θ１，θ２が形成されている。このため、シャワーヘッド１１が一方向に移動される状態においては、移動方向の前方側の一対の回転体３５によって身体表面部５０が押圧される。また、図７に示すように、移動方向の後方側の回転体３５によって回転体３５間の身体表面部５０がつまみ上げられる。
【００１７】
以上のように、シャワーを浴びながら、あるいはシャワーを浴びなくても、実施形態のシャワーヘッド１１により、使用者の身体表面部５０を押圧したり、つまみ上げて揉んだりして、有効なマッサージを行うことができる。
【００１８】
従って、本実施形態においては、以下の効果がある。
（１）専用のマッサージ具を浴室内に持ち込むことなく、シャワーを浴びながら回転体３５によって身体表面部５０をマッサージできる。従って、シャワー水の水圧による血行促進と回転体３５による押圧とつまみ上げとにより有効なマッサージ効果を得ることができる。特に温水シャワーを浴びながら回転体３５によってマッサージすれば、血行促進をともなう高いマッサージ効果を得ることができる。また、浴槽内においてもマッサージできるため、浴槽内の湯に浸かりながら、同様に高いマッサージ効果を得ることができる。
【００１９】
（２）シャワーを浴びながら、あるいは浴槽内の湯に浸かりながら、保湿状態の皮膚上を回転体３５によってマッサージできるため、使用者が乾燥肌の皮膚であったり、敏感肌の皮膚であっても、快適なマッサージを行うことができる。
【００２０】
（３）回転体３５を身体表面部５０に強く押し当てれば指圧的なマッサージが可能になる。また、回転体３５を移動させれば、押圧とつまみ上げとを同時に行うことが可能になる。そして、その強弱は、使用者の意に従うことができ、前記特許文献１とは異なり、強く押し当てることによってマッサージが不可能になるという問題はない。
【００２１】
（４）シャワーヘッド１１の移動方向の前後の回転体３５の軸３４が逆方向に傾斜しているため、前記のように、シャワーヘッド１１が一方向に移動されることにより、シャワーヘッド１１の移動方向の前後において、身体表面部５０が連続して押圧されるとともに、つまみ上げられるようにしてマッサージされる。また、シャワーヘッド１１が逆方向に移動されることにより、同様に連続して身体表面部５０が押圧されるとともに、つまみ上げられるようにしてマッサージされる。このため、シャワーヘッド１１を移動させるだけで、高いマッサージ効果を得ることができる。
【００２２】
（５）回転する回転体３５によってマッサージが行われるため、回転しない突起によってマッサージする場合とは異なり、身体表面部５０において使用者が感じる擦過感はほとんどなくなって、使用感に優れたものとなる。
【００２３】
（６）シャワー水による圧力と、回転体３５による毛穴の押し広げにより、毛穴の奥までの汚れを洗い流すことができる。
（７）回転体３５を身体表面部５０の皮膚に当接させながら、シャワー浴をすれば、散水孔３２と皮膚との間の間隔をほぼ一定に保つことができる。従って、身体表面部５０の全体に対して均等なシャワー圧力を作用させることができて、全身に対して同等なマッサージ効果を与えることができる。
【００２４】
（８）温水シャワー状態と冷水シャワー状態との切り換えをともないながら、回転体３５によって身体表面部５０をマッサージすることにより、身体表面部５０の血行促進による新陳代謝と自律神経に対する刺激とが促進される。このため、有効な美容的作用及び爽快感を得ることができる。
【００２５】
（９）４個の回転体３５が四角形（実施形態ではほぼ正方形）の頂点上に位置するとともに、それらの回転体３５の軸３４が先端側が広がる方向である傾斜した放射方向に延長されて、前記四角形の対角線のほぼ延長線上に位置している。従って、シャワーヘッド１１が上下左右いずれの方向に移動されても、押圧とつまみ上げとの同時マッサージを行うことができて、使い勝手がよい。
【００２６】
（１０）マッサージ用の回転体３５が面板３１に軸３４によって支持されているだけであるため、部品点数を少なくして、構成を簡素化できる。また、部品点数が少ないため、シャワーヘッド１１の組み付けが容易になるとともに、故障を少なくすることができる。
【００２７】
（１１）散水孔３２が回転体３５の位置を避けて配置されているため、シャワー水の無駄な放出を抑えることができる。
（１２）シャワーヘッド１１のヘッド本体１３をハンドル１２に対して脱着することにより、ヘッド本体１３を交換できるため、例えば、回転体３５を有するヘッド本体１３と、回転体３５を有しないヘッド本体とを用意しておけば、必要に応じて交換使用できる。この場合、ヘッド本体１３をハンドル１２に対して約９０度回せば、そのヘッド本体１３をハンドル１２に対して脱着できる。このため、ヘッド本体１３を複数回回転させて脱着する場合とは異なり、ヘッド本体１３が水や石鹸水で濡れて、滑りやすい状態であっても、その脱着が容易になる。また、ヘッド本体１３をハンドル１２から取り外せば、そのヘッド本体１３を浴室外においても、マッサージ具として用いることができる。
【００２８】
（１３）面板３１が回転されることにより、シャワー水の圧力が調節されるようになっているため、回転体３５を身体表面部５０に当てた状態で、面板３１の中心αを中心にしてハンドル１２を回すことにより、シャワー水の圧力を片手で簡単に調節できる。
【００２９】
（第２実施形態）
次に、本発明の第２実施形態を図８に基づいて説明する。
第２実施形態においては、面板３１の上側のみに一対の回転体３５を設け、下側の回転体３５を省略したものである。また、回転体３５の外周面には複数の突起３６が形成されている。
【００３０】
従って、第２実施形態においては、以下の効果がある。
（１４）回転体３５の数が少なくなって、構成がさらに簡素化される。また、回転体３５の突起３６が身体表面部５０に局部的に当たるため、さらに高いマッサージ効果を得ることができる。
【００３１】
（第３実施形態）
次に、本発明の第３実施形態を図９及び図１０に基づいて説明する。
第３実施形態においては、面板３１の上端部にカッサ部３７を突出形成したものである。このカッサ部３７は、中央部の凹部３８と、その凹部３８の両側に位置する凸部３９とを有している。
【００３２】
従って、凸部３９の側部で顔の目尻などを擦ることができる。また、凹部３８により、顎などの突出部を擦ることができる。従って、第３実施形態においては、以下の効果がある。
【００３３】
（１５）カッサ部３７によって、目尻や顎などを擦ることにより、それらの部位及びその周辺の血液やリンパ液の循環を改善できて、有効な美容効果を期待できる。
（第４実施形態）
次に、本発明の第４実施形態を図１１に基づいて説明する。
【００３４】
第４実施形態においては、上下の回転体３５を同一方向（図１１においては上方向）を向くように傾斜させたものである。この傾斜角度は前記傾斜角度θ１，θ２と等しい。左右の回転体３５は前記第１実施形態の図６に示すように傾斜されている。
【００３５】
従って、第４実施形態においては、以下の効果がある。
（１６）シャワーヘッド１１を上下方向に移動させた場合には、上下の回転体３５が同時に身体表面部５０を押圧またはつまみ上げを行うため、押圧またはつまみ上げの一方のみのマッサージを選択できる。
【００３６】
（第５実施形態）
次に、本発明の第５実施形態を図１２に基づいて説明する。
第５実施形態においては、第１実施形態と同様な回転体３５をヘッド本体１３の後部側に設けたものである。
【００３７】
従って、第５実施形態においては、以下の効果がある。
（１７）回転体３５がヘッド本体１３の後部側に設けられているため、面板３１の散水孔３２の形成領域を広くすることができて、大量の散水量を確保できる。
【００３８】
（変更例）
本発明は、前記実施形態に限定されるものではなく、次のように変更して具体化することも可能である。
【００３９】
・回転体３５の数を１個、３個または５個以上とすること。
・回転体３５の取り付け位置をヘッド本体１３の側面とすること。
・回転体３５の形状を変更すること。例えば、ラグビーボール形状，円錐台形状あるいは円形板状や円筒形状にすること。
【００４０】
・回転体３５に軸を突設し、その軸を面板３１に対して回転可能に支持すること。
・前記実施形態とは逆に、ハンドル１２の先端に、突起２０を有する小径部１９を設け、ヘッド本体１３の基端に、拡径部１５，開放部１６及び螺旋溝１７を設けること。
【００４１】
・シャワーヘッド１１内の給水経路にマイクロバブル発生部を設けて、シャワー水にマイクロバブルが混入されるようにすること。このように構成すれば、マイクロバブルによるマッサージ効果や洗浄効果を期待できる。
【００４２】
・面板３１の前面からミストが発生されるようにすること。この構成においては、シャワーの散水を停止した状態で、ミストを発生させれば、着衣状態であっても、衣服を濡らすことなく、ミストによって皮膚を潤わせた状態で、回転体３５によって快適で有効なマッサージを行うことができる。
【００４３】
・面板３１やヘッド本体１３の頂部などに洗浄やマッサージ用のブラシを設けること。
・実施形態のヘッド本体１３と交換されるヘッド本体よりなる交換用アタッチメントを用意すること。この交換用アタッチメントとしては、前記のように、回転体３５の数を変更したものや、回転体３５を設けることなく、シャワー単機能のもの、あるいは、前記のようにマイクロバブル発生機能やミスト発生機能を有するもの、ブラシを有するものなどが具体化される。
【００４４】
・前記実施形態では、面板３１を回転させることにより、シャワー水の圧力が調節されるようになっているが、面板３１を回転させても、シャワー水の圧力が調節されないように構成すること。このように構成すれば、回転体３５を身体表面部５０に当ててシャワー浴をしながら、シャワー水の圧力を考慮することなく、シャワーヘッド１１の向きを変更することができて、使い勝手のよいものとなる。
【符号の説明】
【００４５】
１１…シャワーヘッド、１２…ハンドル、１３…ヘッド本体、３１…面板、３２…散水孔、３４…軸、３５…回転体。
【図１】
2020000564.tif 000003
【図２】
2020000564.tif 000004
【図３】
2020000564.tif 000005
【図４】
2020000564.tif 000006
【図５】
2020000564.tif 000007
【図６】
2020000564.tif 000008
【図７】
2020000564.tif 000009
【図８】
2020000564.tif 000010
【図９】
2020000564.tif 000011
【図１０】
2020000564.tif 000012
【図１１】
2020000564.tif 000013
【図１２】
2020000564.tif 000014